(57)【特許請求の範囲】
【請求項１】
紫外線，可視光を測定光束として被検レンズに投影可能な投影光学系および前記被検レンズを透過する前記測定光束を受光素子に導く受光光学系を備える測定光学系と、比較元紫外線透過率表示部および比較対象紫外線透過率表示部を有する紫外線透過率表示部が設けられた表示装置と、前記被検レンズの紫外線透過率を測定させて記憶させるための記憶ボタンと、比較元紫外線透過率を前記比較元紫外線透過率表示部に表示させる比較元表示操作用ボタンと、前記受光素子の出力から前記被検レンズの紫外線透過率を求めてメモリに記憶させると共に前記メモリに記憶させた紫外線透過率を前記紫外線透過率表示部に表示させる演算制御回路と、を備える眼鏡レンズ光学特性測定装置であって、
前記演算制御回路は、前記記憶ボタンが操作されたときに前記メモリに記憶された紫外線透過率を前記比較対象紫外線透過率表示部に表示させ、前記比較元表示操作用ボタンが操作されたとき、前記メモリに記憶された紫外線透過率を前記比較元紫外線透過率表示部に前記比較元紫外線透過率として表示させた後、前記記憶ボタンが再操作される毎に測定される紫外線透過率を前記比較対象紫外線透過率表示部に表示された紫外線透過率に置き換えて表示させることを特徴とする眼鏡レンズ光学特性測定装置。
【請求項２】
請求項１に記載の眼鏡レンズ光学特性測定装置において、前記表示装置はタッチパネル式のＵＶアイコンを透過率測定モード用ボタンとして備えると共に、
前記演算制御回路は前記ＵＶアイコンがタッチ操作される毎に紫外線透過率測定モードの状態と前記紫外線透過率測定モードの解除の状態とが分かる状態に前記ＵＶアイコンの表示状態を変更することを特徴とする眼鏡レンズ光学特性測定装置。
【請求項３】
請求項２に記載の眼鏡レンズ光学特性測定装置において、前記演算制御回路は前記ＵＶアイコンがタッチ操作される毎に前記ＵＶアイコンの表示枠を前記紫外線透過率測定モードの状態である太線と前記紫外線透過率測定モードの解除の状態である細線とに変更表示させることを特徴とする眼鏡レンズ光学特性測定装置。
【請求項４】
請求項１に記載の眼鏡レンズ光学特性測定装置において、前記投影光学系は紫外線発光源と可視光発光源を切り替えて前記被検レンズに紫外線又は可視光を前記測定光束として投影可能に設けられていると共に、前記表示装置の表示状態を紫外線透過率測定モードにさせる透過率測定モード用ボタンを有し、前記演算制御回路は前記紫外線透過率測定モードにおいて前記記憶ボタンが操作されたときに前記紫外線発光源から紫外線を紫外線透過率測定用の前記測定光束として出射させることを特徴とする眼鏡レンズ光学特性測定装置。 
【発明の詳細な説明】
【技術分野】
【０００１】
この発明は、眼鏡レンズの屈折特性および紫外線透過率の測定を行うことが可能な眼鏡レンズ光学特性測定装置に関するものである。
【背景技術】
【０００２】
従来の眼鏡レンズの光学特性測定装置には、被検レンズ（眼鏡レンズ）の屈折特性と被検レンズ（眼鏡レンズ）の紫外線透過率を測定することができるようにしたものがある。
【０００３】
この光学特性測定装置としては、光学特性表示用の表示画面を有する表示装置と、この表示装置の表示画面の下縁に沿って入力用の複数のスイッチを設けると共に、レンズ受が設けられた筐体部に光学特性測定用の読取スイッチを設けたレンズメータが知られている（例えば、特許文献１参照）。
【０００４】
このレンズメータでは、紫外線透過率測定モード（ＵＶ測定モード）にしておくと、読取スイッチを押したときに、光源を切り替えて被検レンズのＵＶ測定（紫外線透過率の測定）が開始されるようになっている。
【０００５】
この紫外線透過率測定モードでは、被検レンズの紫外線透過率の測定が開始されて、紫外線透過率の測定値が表示画面にホールド表示されるようになっている。
【０００６】
また、このレンズメータでは、複数のスイッチに対応させて表示画面の下縁部に操作内容を示すアイコンの表示をさせ、アイコンに対応するスイッチが押されると、アイコンに対応した表示や測定が可能となっている。
【０００７】
即ち、紫外線透過率測定モードでは、紫外線透過率測定用のＵＶアイコンと屈折特性測定用アイコンを表示画面の下縁部に表示させて、ＵＶアイコンに対応するスイッチを押す毎に、他の被検レンズの紫外線透過率の測定を順次行って、最初の第一の被検レンズのＵＶ測定値と第二以降の被検レンズのＵＶ測定値を表示画面に同時に複数表示させて、ＵＶ測定値の比較を行うことができるようにしている。
【０００８】
また、紫外線透過率測定モードにおいて、屈折特性測定用アイコンに対応するスイッチを押すと、Ｓ，Ｃ，Ａが表示された屈折特性測定用の表示に表示画面が切り替えられるようになっている。
【先行技術文献】
【特許文献】
【０００９】
【特許文献１】特開２００６−５８２４７号公報
【発明の概要】
【発明が解決しようとする課題】
【００１０】
しかし、上述したレンズメータでは、紫外線透過率測定モードにおいて屈折特性測定用アイコンに対応するスイッチを押すことにより、紫外線透過率測定モードを終了させると共に被検レンズの屈折度数の測定が開始される屈折特性測定モードとし、この屈折特性測定モードから紫外線透過率測定モードに切り替えた場合、比較元被検レンズの紫外線透過率の測定を最初から行う必要性がある。
【００１１】
本発明は、屈折特性測定モードにする前に比較元被検レンズの紫外線透過率の測定データがあった場合、比較元被検レンズの紫外線透過率を測定することなく、他の比較対象被検レンズの紫外線透過率のみを測定することにより、比較元被検レンズの紫外線透過率と他の比較対象被検レンズの紫外線透過率を比較することができる眼鏡レンズ光学特性測定装置を提供することを目的とするものである。
【課題を解決するための手段】
【００１２】
この目的を達成するためこの発明は、紫外線発光源と可視光発光源を切り替えて被検レンズに紫外線又は可視光を測定光束として投影させる投影光学系、および前記被検レンズを透過する前記測定光束を受光素子に導く受光光学系を備える測定光学系と、前記表示装置の表示状態を紫外線透過率測定モードにさせる透過率測定モード用ボタンと、前記紫外線透過率測定モードにおいて前記被検レンズの前記光学特性の一つである紫外線透過率を測定して記憶させる記憶ボタンと、前記受光素子の出力信号から前記測定光学系により測定される紫外線透過率を記憶させるメモリと、紫外線透過率表示部を有する表示装置と、前記紫外線透過率測定モードにおいて前記記憶ボタンが操作されたときに前記紫外線発光源から紫外線を紫外線透過率測定用の測定光束として出射させることにより、この測定光束を前記被検レンズを介して前記受光素子に受光させて、前記受光素子の出力から前記被検レンズの紫外線透過率を求め、この求めた紫外線透過率を前記メモリに記憶させると共に、前記メモリに記憶させた前記紫外線透過率を前記紫外線透過率表示部に表示させる演算制御回路と、を備え、前記紫外線透過率表示部は比較元紫外線透過率表示部と比較対象紫外線透過率表示部である眼鏡レンズ光学特性測定装置であって、比較元紫外線透過率を前記比較元紫外線透過率表示部に表示させる比較元表示操作用ボタンを備えると共に、前記演算制御回路は、前記紫外線透過率測定モードにおいて前記記憶ボタンが操作されたときに前記メモリに記憶された紫外線透過率を前記比較対象紫外線透過率表示部に表示させ、比較元表示操作用ボタンが操作されたとき、前記メモリに記憶された紫外線透過率を前記比較元紫外線透過率表示部に比較元紫外線透過率として表示させた後、前記記憶ボタンが再操作される毎に測定される紫外線透過率を前記比較対象紫外線透過率表示部に表示された紫外線透過率に置き換えて表示させることを特徴とする。
【発明の効果】
【００１３】
この構成によれば、比較元の被検レンズの紫外線透過率を記憶させることにより、屈折特性測定モードにする前に比較元の被検レンズの紫外線透過率の測定データがあった場合、比較元の被検レンズの紫外線透過率を再度測定することなく記憶に基づいて表示させた状態としておくことで、紫外線透過率測定モードを終了させた後に再度紫外線透過率測定モードにした場合でも、他の比較対象の被検レンズの紫外線透過率のみを測定することにより、比較元の被検レンズの紫外線透過率と他の比較対象の被検レンズの紫外線透過率を比較することができる。
【図面の簡単な説明】
【００１４】
【図１】この発明に係る眼鏡レンズ光学特性測定装置の一例を示すレンズメータの斜視図である。
【図２】図１のレンズメータの使用例を示す部分拡大斜視図である。
【図３】図１のレンズメータの光学系を示す説明図である。
【図４】図１のレンズメータの制御回路図である。
【図５】図１のレンズメータの表示画面の説明図である。
【図６】図１のレンズメータの表示画面の説明図である。
【図７】図１のレンズメータの作用を説明するフローチャートである。
【図８】図１のレンズメータの表示画面の説明図である。
【図９】図１のレンズメータの表示画面の他の説明図である。
【図１０】図１のレンズメータの表示画面の他の説明図である。
【図１１】図１のレンズメータの表示画面の他の説明図である。
【発明を実施するための形態】
【００１５】
以下、この発明の実施の形態を図面に基づいて説明する。
[構成]
図１は、眼鏡レンズ光学特性測定装置としてレンズメータを示したものである。この図１において、１はレンズメータの本体ケース、２は本体ケース１の正面上部に設けられた表示装置（表示手段）としての液晶表示器である。この液晶表示器２は、タッチパネル式の表示画面２ａを有する。また、３は本体ケース１の正面の上下方向の中間部に突設された上筐体部、４は本体ケース１の正面の下部に突設された下筐体部である。
【００１６】
尚、図１，図２においてメガネＭは、左右のレンズ枠ＬＦ，ＲＦと、レンズ枠ＬＦ，ＲＦに枠入れされた眼鏡レンズである被検レンズＭＬ（Ｒ），ＭＬ（Ｌ）と、レンズ枠ＬＦ，ＲＦ間のブリッジＢと、レンズ枠ＬＦ，ＲＦに設けられた鼻当Ｎと、レンズ枠ＬＦ，ＲＦの互いに反対側に設けられたテンプルＴを有する。この被検レンズＭＬ（Ｒ），ＭＬ（Ｌ）は、以下単に被検レンズＭＬとして説明する。
【００１７】
下筐体部４の上面には円錐筒状で且つ頂部が裁断されたレンズ受５が設けられていて、このレンズ受５上には図２，図３に示したようにメガネＭの被検レンズＭＬが載置されるようになっている。この下筐体部４の正面には記憶ボタン４ａが設けられている。尚、図２，図３では、被検レンズＭＬ（Ｒ）がレンズ受５上に載置されている。また、記憶ボタン４ａのＯＮ・ＯＦＦは光源の切替も兼ねている。
【００１８】
図１において、６は筐体部３，４間に位置して本体ケース１の正面に前後移動調整可能に保持されたレンズ当て、７は本体ケース１の横側に前後回動可能に保持されたレンズ当て操作用のレバーで、このレバー７の前後回動によりレンズ当て６が前後移動調整されるようになっている。
【００１９】
レンズ当て６の上縁部にはスライダ８ａが左右動自在に保持され、このスライダ８ａには鼻当支持部材８が上下回動可能に保持されている。この鼻当支持部材８は、図示を略すスプリングで上方にバネ付勢されていると共に水平位置で上方への回動が規制されるようになっている。この鼻当支持部材８の左右方向への移動により、図示しないポテンショメータやリニアスケール等によりレンズ枠ＬＦ，ＲＦ間のハーフＰＤが測定されるようになっている。
【００２０】
また、図１において本体ケース１の正面には、上筐体部３の下方に位置させたレンズ押さえ９が取り付けられている。このレンズ押さえ９は、レバー９ａの操作によりピン状の複数のレンズ押さえ部材９ｂを上下操作することができようになっていて、レンズ押さえ部材９ｂを下方に移動操作させることにより、レンズ押さえ部材９ｂをレンズ受５上に載置される被検レンズＭＬに当接させて、被検レンズＭＬをレンズ受５に押さえ付ける。この構成には、周知の構成が採用できるので、その詳細な説明は省略する。
＜測定光学系Ｌｓ＞
また、レンズメータは図３に示した測定光学系Ｌｓを有する。この測定光学系Ｌｓは、上筐体部３内に設けられた測定光束投影光学系（投影光学系）Ｌａ及び下筐体部４内に設けられた受光光学系Ｌｂを有する。
（測定光束投影光学系Ｌａ）
この測定光束投影光学系Ｌａは、測定光束をレンズ受５上の被検レンズＭＬに屈折特性測定用の測定光を投影する屈折特性測定用の投影光学系１０と、メガネＭの紫外線透過率測定用の測定光束を投影する紫外線透過率測定用の投影光学系２０を有する。
【００２１】
この屈折特性測定用の投影光学系１０は、屈折特性測定用の光源（可視光源）１３と、光源１３の拡散光を集光させるボールレンズ１４ａと、拡散板１４ｂと、絞り１４、ダミーガラスＤｇと、全反射ミラー１４ｃと、コリメータレンズ１５をこの順に有する。
【００２２】
光源１３には、例えば基準波長としてｅ線（波長が５４６．０７ｎｍの可視光）を発光するものが用いられるが、ｅ線を含むものであればその前後の波長が含まれていても良い。また、光源１３としては、緑色の光を発光するＬＥＤ（緑色発光発光ダイオード）が用いられている。尚、光源１３としては、ハロゲンランプと緑色の光のみを透過させるフィルタを用いた構成であっても良い。また、光源１３としてはｅ線以外の波長の可視光を発光するＬＥＤやランプであっても良い。
【００２３】
また、紫外線透過率測定用の投影光学系２０は、紫外線透過率測定用の光源（紫外線光源）２１と、拡散板２２と、ダイクロイックミラー２３と、全反射ミラー１４ｃと、コリメータレンズ１５をこの順に有する。
【００２４】
この光源２１には、３２０ｎｍ〜４００ｎｍの波長域のＵＶ−Ａの紫外線のうち、例えば３６５ｎｍの波長の紫外線を基準波長として発光するＬＥＤ（紫外線発光ダイオード）が用いられている。尚、光源２１としては、ハロゲンランプと紫外線のみを透過させるフィルタを用いた構成であっても良い。また、ダイクロイックミラー２３は、ｅ線及びその近傍の波長を透過し且つ紫外線を反射するようになっている。更に、紫外線発光用のＬＥＤは３６５ｎｍの波長以外の波長のＵＶ−Ａであっても良い。
【００２５】
更に、光源１３，２１等にハロゲンランプを用いると共に光源１３，２１からの光をフィルタを用いて、ｅ線や紫外線を被検レンズに投影する投影光学系を構成することができる。
（受光光学系Ｌｂ）
受光光学系Ｌｂは、パターン板１６を有し、パターン板１６を透過したパターン像が受光素子であるＣＣＤ４０に直接投影されるようになっている。尚、パターン板１６は、多数の孔（図示せず）を縦横に設けたハルトマンプレート又は多数の微小レンズを縦横に配列したレンズアレイ等の周知のものが用いられている。
＜制御回路＞
図４において、３０は制御手段（制御装置）としての演算制御回路である。この演算制御回路３０には、鼻当支持部材８の左右方向の位置を検出するポテンショメータ等からの位置検出信号が入力される。また、演算制御回路３０には、ＣＣＤ４０からの測定信号が入力されるようになっている。更に、演算制御回路３０は、屈折特性測定用の光源１３，紫外線透過率測定用の光源２１を点灯制御するようになっている。
【００２６】
そして、演算制御回路３０は、図示しない電源スイッチ（電源ボタン）をオンさせると、液晶表示器２の表示画面２ａに図５に示したような表示を行わせる。この表示画面２ａには、測定状態表示部３１と、測定状態表示部３１の下側のメッセージ表示部３２と、メッセージ表示部３２の下の測定操作表示部３３が設けられている。
【００２７】
この測定状態表示部３１の中央部には、複数の同心円３４ａからなる測定光学系の光路位置マーク３４と、レンズ受５上に載置された被検レンズＭＬの光学中心位置を示す十字状のマーク３５が表示される。しかも、この測定状態表示部３１の光路位置マーク３４の右側には、測定された光学特性の数値データを表示させる屈折特性データ表示部（以下、単にデータ表示部と略称）３６が設けられている。このデータ表示部３６には、測定された球面度数（Ｓ），円柱度数（Ｃ），軸角度（Ａ）等の測定データが演算制御回路３０により数値表示される。以下、球面度数をＳ，円柱度数をＣ，軸角度をＡと省略する。
【００２８】
更に、測定状態表示部３１の光路位置マーク３４の上部の左右には、レンズ受５上の被検レンズＭＬが左であるか右であるかを示す測定対象表示部３７Ｌ，３７Ｒが設けられている。この測定対象表示部には、レンズ受５上の測定されているレンズが実線で「Ｒ」のように表示される。左のレンズは測定状態にないので波線で示した「Ｌ」は表示されない。尚、演算制御回路３０は、レンズ受５に対する鼻当支持部材８の左右方向の位置を図示しないポテンショメータ等の位置検出信号から、レンズ受５上のレンズが眼鏡レンズの左のレンズ「Ｌ」であるか右のレンズ「Ｒ」であるかの判断をして、「Ｌ」，「Ｒ」の表示をさせる。
【００２９】
また、測定状態表示部３１の光路位置マーク３４の下方には、紫外線透過率のデータであるＵＶデータ表示部３８が設けられている。
【００３０】
しかも、測定状態表示部３１の下方のメッセージ表示部３２には、測定操作をガイドするメッセージが表示される。また、測定操作表示部３３には、複数のタッチパネル式の操作ボタンＨ１〜Ｈ６が表示される。この操作ボタンＨ１〜Ｈ６には、測定内容に応じたアイコンや測定データ、或いは操作内容等が表示される。
【００３１】
例えば、紫外線透過率の測定では、操作ボタンＨ３の部分に紫外線透過率の測定を示すアイコンＵＶが表示され、操作ボタンＨ４に紫外線透過率を％で表示する数値が表示され、操作ボタンＨ５に操作内容のＣＬＥＡＲが表示される。この操作ボタンＨ３のアイコンＵＶの枠が操作ボタンＨ３の枠が細線のときには紫外線透過率測定モードが解除されている状態を示し、図６のように太線のときには紫外線透過率測定モードであることを示す。
【００３２】
そして、演算制御回路３０は、図示しない電源スイッチをオンさせると、光源１３を点灯させると共に、光源２１を消灯させて、屈折特性測定モードになる。
【００３３】
また、演算制御回路３０は、屈折特性測定モードにおいてレンズ受５上の被検レンズＭＬのＳ・Ｃ・Ａ等の屈折特性をＣＣＤ４０からの測定信号に基づいて求め（演算し）て、求めたＳ・Ｃ・Ａ等の屈折特性の測定データ（測定結果）をデータ表示部３６に表示している。
【００３４】
データ表示部３６「印点ＯＫ」というメッセージが表示されたとき、記憶ボタン４ａを押すか又は印点する。このとき、操作ボタンＨ３の枠が太線になっている場合には、光源が切り替わりＵＶ測定（紫外線透過率測定）を行う。
[作用]
次に、このような構成のレンズメータの演算制御回路３０による制御を図７に示したフローチャートに基づいて説明する。
ステップＳ１
演算制御回路３０は、レンズメータの図示しない電源スイッチ（電源ボタン）をオンさせられると、測定制御を開始しステップＳ１で液晶表示器２の表示画面２ａに図４に示した初期画面を表示させ、ステップＳ２に移行する。
【００３５】
尚、この初期画面では、表示画面２ａに光路位置マーク３４，被検レンズＭＬの光学中心位置を示す十字状のマーク３５，データ表示部３６，「Ｌ」，「Ｒ」等の測定対象表示部，ＵＶデータ表示部３８，メッセージ表示部３２，操作ボタンＨ１〜Ｈ６等が表示される。この際、アイコンＵＶの枠すなわち操作ボタンＨ３の枠は、紫外線透過率の測定モードにない状態、即ち被検レンズＭＬの屈折特性の測定状態にあることを示すために、細線で表示される。
【００３６】
また、ステップＳ１において演算制御回路３０は、屈折特性測定用の光源１３を点灯させて、基準波長としてｅ線（波長が５４６．０７ｎｍの可視光）を光源１３で発光させることにより、Ｓ，Ｃ，Ａの屈折特性の測定を開始する。
【００３７】
この際、屈折特性測定用の光源１３からの緑色の測定光束は、ボールレンズ１４ａ，絞り１４により絞られた後に、ダミーガラスＤｇ、ダイクロイックミラー２３を透過して、全反射ミラー１４ｂによりコリメータレンズ１５に導かれ、コリメータレンズ１５で平行光束とされてレンズ受５上にセットされた被検レンズＭＬに投影される。
【００３８】
この投影された測定光束は、被検レンズＭＬを透過してパターン板１６に導かれ、パターン板１６のパターン像がＣＣＤ４０に投影され、このＣＣＤ４０からの測定信号は演算制御回路３０に入力される。
【００３９】
この際、演算制御回路３０は、入力される測定信号に基づいて、測定光学系の光路中心における被検レンズＭＬのプリズム量から被検レンズＭＬの光学中心を求め、被検レンズＭＬの光学中心位置を示す十字状のマーク３５を図４のように表示させる。しかも、この十字状のマーク３５は、被検レンズＭＬをレンズ受５上で水平方向に移動することにより、多数の同心円よりなる光路位置マーク３４に対して移動し、光路位置マーク３４の同心円の中心に近づくに従って測定光学系の光路中心に近づくようになっている。また、この図４の十字状のマーク３５は、図３の被検レンズＭＬの光学中心が測定光学系Ｌｓの光路の光軸Ｏと一致したときを示したもので、被検レンズＭＬの光学中心が測定光学系Ｌｓの光路の光軸Ｏからずれるに従って、十字形状が小さく表示される。このような表示制御には周知の技術が用いられている。
【００４０】
更に、演算制御回路３０は、被検レンズＭＬをレンズ受５上で水平方向に移動させる際、ＣＣＤ４０から入力される測定信号に基づいて、測定光学系の光路中心における被検レンズＭＬの光軸ＯにおけるＳ，Ｃ，Ａ等の屈折特性をリアルタイムで随時求める。このＳ，Ｃ，Ａ等の屈折特性を求める際にも周知の技術を用いることができるので、その詳細な説明は省略する。
【００４１】
しかも、演算制御回路３０は、求めたＳ，Ｃ，Ａ等の屈折特性データを第１のメモリ４５に一時記憶させ、ステップＳ２に移行する。
ステップＳ２
＜測定モード選択＞
このステップＳ２で演算制御回路３０は、ＵＶ測定（紫外線透過率の測定）を行うか否か、即ち図５のアイコンＵＶの操作ボタンＨ３が押された（タッチされた）か否かを判断する。この判断において、操作ボタンＨ３のアイコンＵＶが押されていれば紫外線透過率測定モードであると判断してステップＳ３に移行し、操作ボタンＨ３が押されていなければ紫外線透過率測定モード以外のＳ，Ｃ，Ａ等の屈折特性測定モードであると判断してステップＳ２０に移行する。
＜紫外線透過率測定モード＞
ステップＳ３
このステップＳ３で演算制御回路３０は、アイコンＵＶの枠（操作ボタンＨ３の枠）を図６に示したように太線に表示させてステップＳ４に移行する。
ステップＳ４
このステップＳ４において演算制御回路３０は、ＵＶ測定及び測定結果の記憶のために図１，図２の記憶ボタン４ａが押されたか否かを判断し、記憶ボタン４ａが押されていればステップＳ５に移行し、記憶ボタン４ａが押されていなければステップＳ２に戻る。
ステップＳ５
このステップＳ５において演算制御回路３０は、屈折特性測定用の光源１３を消灯させる一方、紫外線透過率測定用の光源２１を点灯させ、ステップＳ６に移行する。この紫外線透過率測定用の光源２１が点灯されると、光源２１から３６５ｎｍの紫外線が発光される。この光源２１からの紫外線の測定光束は、拡散板２２を介して拡散されて、ダイクロイックミラー２３および全反射ミラー１４ｃを介してコリメータレンズ１５に導かれ、コリメータレンズ１５で平行光束とされてレンズ受５上の被検レンズＭＬに投影される。
【００４２】
この投影された紫外線の測定光束は、一部が被検レンズＭＬ透過してパターン板１６に導かれ、パターン板１６のパターン像がＣＣＤ４０に投影され、このＣＣＤ４０からの測定信号は演算制御回路３０に入力される。
ステップＳ６
そして、このステップＳ６において演算制御回路３０は、紫外線によるＣＣＤ４０からの測定信号に基づいて被検レンズＭＬの紫外線透過率を求めて、この測定により求めた紫外線透過率を第１のメモリ４５に記憶されたＳ，Ｃ，Ａ等の屈折特性データに基づいて補正し、補正した紫外線透過率およびＳ，Ｃ，Ａ等の屈折特性を第２のメモリ４６に記憶させ、ステップＳ７に移行する。
ステップＳ７
このステップＳ７において演算制御回路３０は、図８に示したように、第２のメモリ４６に記憶させた被検レンズＭＬのＳ，Ｃ，Ａ等の屈折特性データをデータ表示部３６に表示させると共に、第２のメモリ４６に記憶させた紫外線透過率をＵＶデータ表示部３８に表示させて、ステップＳ８に移行する。尚、図８は表示の一例を示したもので、屈折特性データとしてＳ：−３．００，Ｃ：−０．５０，Ａ：３０°等がデータ表示部３６に表示され、ＵＶ測定結果である紫外線透過率の数値データとして例えば３％がＵＶデータ表示部３８に表示される。
ステップＳ８
このステップＳ８において演算制御回路３０は、操作ボタンＨ４が押されたか否かを判断し、押されていればステップＳ９に移行し、押されていなければステップＳ１０に移行する。
ステップＳ９
このステップＳ９において演算制御回路３０は、第２のメモリ４６に記憶され且つＵＶデータ表示部３８に表示された紫外線透過率（数値データ、上述した例では３％）を、次のＵＶ測定で得られる他の被検レンズ（比較対象被検レンズ）の紫外線透過率と比較するために操作ボタンＨ４の枠内に測定元被検レンズの紫外線透過率の測定データとして表示させる。この際、演算制御回路３０は、操作ボタンＨ５の枠内に図１０に示したようにＣＬＥＡＲを表示させて、操作ボタンＨ５をクリアアイコン（クリアボタン）とし、ステップＳ１０に移行する。
【００４３】
本実施例では、図９に示したように紫外線透過率（数値データ）３％のが操作ボタンＨ４の枠内に表示される。
【００４４】
尚、このようにして最初に測定されたＳ，Ｃ，Ａや紫外線透過率のデータは、比較対象となる第一の被検レンズＭＬの測定データである。
ステップＳ１０
このステップＳ１０において演算制御回路３０は、図１０に示したようにクリアアイコンであるＣＬＥＡＲの操作ボタンＨ５が押されたか否かを判断し、押されていればステップＳ１１に移行し、押されていなければループして操作ボタンＨ５が押されるまで待機する。
ステップＳ１１
このステップＳ１１において演算制御回路３０は、データ表示部３６に表示させた被検レンズＭＬのＳ，Ｃ，Ａ等の屈折特性データおよびＵＶデータ表示部３８に表示させた紫外線透過率のデータをクリアして、ステップＳ４に戻る。
【００４５】
この後、ステップＳ４〜ステップＳ９の制御を実行することで、次の第二の被検レンズＭＬの紫外線透過率を測定して、測定結果を図１１に示したように測定状態表示部３１のデータ表示部３６にＳ，Ｃ，Ａの測定データ（例えば、Ｓ：−４．５０，Ｃ：０．００，Ａ：０）を表示させると共に、ＵＶデータ表示部３８に紫外線透過率の測定結果（例えば、１０％）を表示させる。これにより、ＵＶデータ表示部３８に表示された紫外線透過率の測定結果（例えば、１０％）を操作ボタンＨ４に表示された紫外線透過率の測定結果（例えば、３％）に対して比較することができる。
【００４６】
尚、第二の被検レンズの測定以降の被検レンズのＳ，Ｃ，Ａや紫外線透過率の測定もステップＳ４〜ステップＳ９の制御を実行することで行うことができる。この場合も、操作ボタンＨ４に表示された第一の被検レンズＭＬの紫外線透過率の測定結果（例えば、３％）はクリアされないので、操作ボタンＨ４に表示された第一の被検レンズＭＬの紫外線透過率の測定結果（例えば、３％）と比較することができる。
＜Ｓ，Ｃ，Ａのみの屈折特性測定モード＞
ステップＳ２０
このステップＳ２０において演算制御回路３０は、紫外線透過率以外の光学特性であるＳ，Ｃ，Ａの記憶のために図１，図２の記憶ボタン４ａが押されたか否かを判断し、記憶ボタン４ａが押されていればステップＳ２１に移行し、記憶ボタン４ａが押されていなければステップＳ２に戻る。
ステップＳ２１
このステップＳ２１において演算制御回路３０は、第１のメモリ４５に記憶されたＳ，Ｃ，Ａ等の屈折特性を第２のメモリ４６に記憶させ、ステップＳ２２に移行する。
ステップＳ２２
このステップＳ２２において演算制御回路３０は、第２のメモリ４６に記憶させたＳ，Ｃ，Ａの屈折特性データをデータ表示部３８に表示させ、ステップＳ２に戻る。
【００４７】
尚以上説明した実施例では、表示画面２ａの下縁部にタッチパネル式の操作ボタンＨ１〜Ｈ６を表示させるようにしたが、必ずしもこれに限定されるものではない。例えば、操作ボタンＨ１〜Ｈ６は単に操作内容表示部として、この各操作内容表示部に対応するファンクションキーを操作ボタンとすることもできる。
【００４８】
以上説明したように、この発明の実施の形態の眼鏡レンズ光学特性測定装置は、紫外線，可視光を測定光束として被検レンズ（ＭＬ）に投影可能な投影光学系（測定光束投影光学系Ｌａ）および前記被検レンズ（ＭＬ）を透過する前記測定光束を受光素子（ＣＣＤ４０）に導く受光光学系Ｌｂを備える測定光学系Ｌｓと、比較元紫外線透過率表示部（操作ボタンＨ４）および比較対象紫外線透過率表示部（ＵＶデータ表示部３８）を有する紫外線透過率表示部（操作ボタンＨ４，ＵＶデータ表示部３８）が設けられた表示装置(液晶表示器２)を備えている。また、眼鏡レンズ光学特性測定装置は、前記被検レンズ（ＭＬ）の紫外線透過率を測定させて記憶させるための記憶ボタン４ａと、比較元紫外線透過率を前記比較元紫外線透過率表示部（操作ボタンＨ４）に表示させる比較元表示操作用ボタン（操作ボタンＨ４）を有する。更に、眼鏡レンズ光学特性測定装置は、前記受光素子（ＣＣＤ４０）の出力から前記被検レンズ（ＭＬ）の紫外線透過率を求めてメモリ（第１，第２のメモリ４５，４６）に記憶させると共に前記メモリ（第１，第２のメモリ４５，４６）に記憶させた前記紫外線透過率を前記紫外線透過率表示部（操作ボタンＨ４，ＵＶデータ表示部３８）に表示させる演算制御回路３０を有する。しかも、前記演算制御回路３０は、前記記憶ボタン４ａが操作されたときに前記メモリ（第１，第２のメモリ４５，４６）に記憶された紫外線透過率を前記比較対象紫外線透過率表示部（ＵＶデータ表示部３８）に表示させ、比較元表示操作用ボタン（操作ボタンＨ４）が操作されたとき、前記メモリ（第１，第２のメモリ４５，４６）に記憶された紫外線透過率を前記比較元紫外線透過率表示部（操作ボタンＨ４）に比較元紫外線透過率として表示させた後、前記記憶ボタン４ａが再操作される毎に測定される紫外線透過率を前記比較対象紫外線透過率表示部（ＵＶデータ表示部３８）に表示された紫外線透過率に置き換えて表示させるようになっている。
【００４９】
この構成によれば、比較元の被検レンズ（ＭＬ）の紫外線透過率を記憶させることにより、屈折特性測定モードにする前に比較元の被検レンズ（ＭＬ）の紫外線透過率の測定データがあった場合、比較元の被検レンズ（ＭＬ）の紫外線透過率を再度測定することなく記憶に基づいて表示させた状態としておくことで、紫外線透過率測定モードを終了させた後に再度紫外線透過率測定モードにした場合でも、他の比較対象の被検レンズの紫外線透過率のみを測定することにより、比較元の被検レンズの紫外線透過率と他の比較対象の被検レンズの紫外線透過率を比較することができる。
【００５０】
また、この発明の実施の形態の眼鏡レンズ光学特性測定装置において、前記表示装置はタッチパネル式のＵＶアイコン（操作ボタンＨ３）を前記透過率測定モード用ボタンとして備えると共に、前記演算制御回路は前記ＵＶアイコン（操作ボタンＨ３）がタッチ操作される毎に紫外線透過率測定モードの状態と紫外線透過率測定モードの解除の状態とが分かる状態に前記ＵＶアイコンの表示状態を変更するようになっている。 
【００５１】
この構成によれば、紫外線透過率測定モードの状態と紫外線透過率測定モードの解除の状態を簡易に切り替えることができる。
【００５２】
更に、この発明の実施の形態の眼鏡レンズ光学特性測定装置において、前記演算制御回路は前記ＵＶアイコン（操作ボタンＨ３）がタッチ操作される毎に前記ＵＶアイコンの表示枠を紫外線透過率測定モードの状態である太線と紫外線透過率測定モードの解除の状態である細線とに変更表示させるようになっている。
【００５３】
この構成によれば、紫外線透過率測定モードの状態である太線と紫外線透過率測定モードの解除の状態を容易に知ることができる。
【００５４】
また、この発明の実施の形態の眼鏡レンズ光学特性測定装置において、投影光学系（測定光束投影光学系Ｌａ）は紫外線発光源と可視光発光源を切り替えて被検レンズに紫外線又は可視光を測定光束として投影可能に設けられていると共に、前記表示装置(液晶表示器２)の表示状態を紫外線透過率測定モードにさせる透過率測定モード用ボタン（操作ボタンＨ３）を有し、前記演算制御回路３０は前記紫外線透過率測定モードにおいて前記記憶ボタン４ａが操作されたときに前記紫外線発光源から紫外線を紫外線透過率測定用の測定光束として出射させるようになっている。
【００５５】
この構成によれば、記憶ボタン４ａを操作することで、可視光発光源を紫外線発光源に切り替えて、紫外線を測定光束として被検レンズに投影することにより、紫外線透過率を測定すると共に、測定した紫外線をメモリに記憶させるので、操作のためのボタンを少なくできる。
【符号の説明】
【００５６】
ＭＬ（Ｒ）・・・被検レンズ（右眼鏡レンズ）
ＭＬ（Ｌ）・・・被検レンズ（左眼鏡レンズ）
２・・・液晶表示器（表示手段）
４ａ・・・記憶ボタン
５・・・レンズ受
Ｌａ・・・測定光束投影光学系（投影光学系））
Ｌｂ・・・受光光学系
１０・・・屈折特性測定用の投影光学系
１３・・・屈折特性測定用の光源
２０・・・紫外線透過率測定用の投影光学系
２１・・・紫外線透過率測定用の光源
３０・・・演算制御回路
３１・・・測定状態表示部
３３・・・測定操作表示部
３６・・・屈折特性データ表示部
３８・・・ＵＶデータ表示部（比較対象ＵＶデータ表示部）
４０・・・ＣＣＤ（受光素子）
４５・・・大１のメモリ
４６・・・第２のメモリ
Ｈ４・・・記憶用の操作ボタン（比較元ＵＶデータ表示部）
Ｈ５・・・操作ボタン（再測定操作ボタン）
【図１】
0005827517.tif 000002
【図２】
0005827517.tif 000003
【図３】
0005827517.tif 000004
【図４】
0005827517.tif 000005
【図５】
0005827517.tif 000006
【図６】
0005827517.tif 000007
【図７】
0005827517.tif 000008
【図８】
0005827517.tif 000009
【図９】
0005827517.tif 000010
【図１０】
0005827517.tif 000011
【図１１】
0005827517.tif 000012